Podtech/llm-jp-corpus-v4-ja_patent huggingface dataset:
【手続補正書】
【提出日】平成25年10月29日(2013.10.29)
【手続補正１】
【補正対象書類名】特許請求の範囲
【補正対象項目名】全文
【補正方法】変更
【補正の内容】
【特許請求の範囲】
【請求項１】
挿入部の先端側に設けた湾曲部の湾曲操作を指示入力する湾曲操作部が、前記挿入部の基端部に連設する操作部に設けられ、
先端部が前記湾曲部の所定位置に固定された牽引部材の基端部が前記湾曲操作部に固定され、前記湾曲操作部の操作によって前記牽引部材を介して前記湾曲部を湾曲させる内視鏡の湾曲操作装置において、
前記湾曲操作部は、前記湾曲部の湾曲操作を傾倒方向及び傾倒角度を変化させる操作軸の傾倒操作によって行う操作指示手段と、
前記操作軸の基端側が固設され、前記操作部を構成するフレームに回動自在に設けられた軸受けと、
前記フレームに設けられ、前記軸受けの回転中心を中心とした所定半径の半球面を有する半球形状のガイド面と、
前記牽引部材の基端部を固定する前記湾曲操作部の牽引部材固定部に設けられ、前記ガイド面に圧接される弾性体の摩擦部材と、を具備し、
前記フレームの前記ガイド面に前記摩擦部材を圧接させた際の摩擦力で、傾倒操作される前記操作軸の傾倒操作位置を保持して前記湾曲部の湾曲状態を維持する摩擦力保持部を設けたことを特徴とする内視鏡の湾曲操作装置。
【請求項２】
前記フレームは、樹脂材料で形成された樹脂フレームを有し、
前記操作指示手段は、少なくとも前記牽引部材固定部と前記摩擦部材とが弾性体で一体成形された一体成形体を有する
ことを特徴とする請求項１に記載の内視鏡の湾曲操作装置。
【請求項３】
前記フレームは、前記軸受けを前記操作指示手段とは反対側から回動自在に支持する第１の支え部と、前記軸受けを前記第１の支え部とは反対側から回動自在に支持する第２の支え部とを有し、
前記第１の支え部および前記第２の支え部と前記軸受けとの接触部に摩擦力を発生させながら摺動し、前記湾曲部の湾曲状態を維持する摩擦力保持面を有する
ことを特徴とする請求項１に記載の内視鏡の湾曲操作装置。
【請求項４】
被検体内に挿入される挿入部と、
前記挿入部の先端側に設けられ、前記挿入部を湾曲操作する湾曲部と、
前記挿入部の基端部に連接された操作部と、
前記操作部に設けられ、前記湾曲部の湾曲操作を指示する湾曲操作部と、
を備え、
前記湾曲操作部は、前記湾曲部の湾曲操作を傾倒方向及び傾倒角度を変化させる操作軸の傾倒操作によって行う操作指示手段と、
前記操作軸の基端側が固設され、前記操作部を構成するフレームに回動自在に設けられた軸受けと、
前記フレームに設けられ、前記軸受けの回転中心を中心とした所定半径の半球面を有する半球形状のガイド面と、
前記牽引部材の基端部を固定する前記湾曲操作部の牽引部材固定部に設けられ、前記ガイド面に圧接される弾性体の摩擦部材と、を具備し、
前記フレームの前記ガイド面に前記摩擦部材を圧接させた際の摩擦力で、傾倒操作される前記操作軸の傾倒操作位置を保持して前記湾曲部の湾曲状態を維持する摩擦力保持部を設けたことを特徴とする内視鏡装置。
【手続補正２】
【補正対象書類名】明細書
【補正対象項目名】０００８
【補正方法】変更
【補正の内容】
【０００８】
本発明の一局面の態様は、挿入部の先端側に設けた湾曲部の湾曲操作を指示入力する湾曲操作部が、前記挿入部の基端部に連設する操作部に設けられ、先端部が前記湾曲部の所定位置に固定された牽引部材の基端部が前記湾曲操作部に固定され、前記湾曲操作部の操作によって前記牽引部材を介して前記湾曲部を湾曲させる内視鏡の湾曲操作装置において、前記湾曲操作部は、前記湾曲部の湾曲操作を傾倒方向及び傾倒角度を変化させる操作軸の傾倒操作によって行う操作指示手段と、前記操作軸の基端側が固設され、前記操作部を構成するフレームに回動自在に設けられた軸受けと、前記フレームに設けられ、前記軸受けの回転中心を中心とした所定半径の半球面を有する半球形状のガイド面と、前記牽引部材の基端部を固定する前記湾曲操作部の牽引部材固定部に設けられ、前記ガイド面に圧接される弾性体の摩擦部材と、を具備し、前記フレームの前記ガイド面に前記摩擦部材を圧接させた際の摩擦力で、傾倒操作される前記操作軸の傾倒操作位置を保持して前記湾曲部の湾曲状態を維持する摩擦力保持部を設けたことを特徴とする内視鏡の湾曲操作装置である。
【手続補正書】
【提出日】平成25年4月15日(2013.4.15)
【手続補正１】
【補正対象書類名】特許請求の範囲
【補正対象項目名】全文
【補正方法】変更
【補正の内容】
【特許請求の範囲】
【請求項１】
遊技場に設置された遊技機器であって、
互いに通信可能に接続された第１の制御手段と第２の制御手段とを含み、
前記第１の制御手段と前記第２の制御手段とは、互いの認証に用いるペアの識別情報を記憶し、該識別情報を用いて認証処理を行ない、
前記認証処理は、
前記第２の制御手段においてチャレンジコードを生成して前記第１の制御手段に送信し、該第１の制御手段において記憶している識別情報を用いて受信したチャレンジコードからレスポンスコードを生成して前記第２の制御手段へ返信し、前記第２の制御手段において、記憶している識別情報を用いて受信したレスポンスコードの適否を判定する第１チャレンジレスポンス認証処理と、
前記第１の制御手段においてチャレンジコードを生成して前記第２の制御手段に送信し、該第２の制御手段において記憶している識別情報用いて受信したチャレンジコードからレスポンスコードを生成して前記第１の制御手段へ返信し、前記第１の制御手段において、記憶している識別情報を用いて受信したレスポンスコードの適否を判定する第２チャレンジレスポンス認証処理とを含む、遊技機器。
【手続補正２】
【補正対象書類名】明細書
【補正対象項目名】０００７
【補正方法】変更
【補正の内容】
【０００７】
（１）  本発明は、遊技場に設置された遊技機器（パチンコ機２、スロットマシン２Ｓ、カードユニット３、カード発行装置、Ｚカウンタ、清算装置、ホール用管理装置、景品交換装置等）であって、
互いに通信可能に接続された第１の制御手段（メイン制御部３２３または主制御基板１６，１１６）と第２の制御手段（ＣＵ通信制御部８０または払出制御部１７，１１７）とを含み、
前記第１の制御手段と前記第２の制御手段とは、互いの認証に用いるペアの識別情報（ＣＵ通信制御部のＳＩＤとメイン制御部のＳＩＤ、または払出制御部のＳＩＤと主制御基板のＳＩＤ）を記憶し、該識別情報を用いて認証処理を行ない（図２７の単体認証シーケ
ンス）、
前記認証処理は、
前記第２の制御手段においてチャレンジコード（図２７のチャレンジコードＡ）を生成して前記第１の制御手段に送信し（単体認証応答１）、該第１の制御手段において記憶している識別情報（ＥＥＰＲＯＭ８０８に記憶されているメイン制御部のＳＩＤ）を用いて受信したチャレンジコードからレスポンスコード（図２７のレスポンコードＡ）を生成して前記第２の制御手段へ返信し（単体認証要求２）、前記第２の制御手段において、記憶している識別情報（ＥＥＰＲＯＭ８１３に記憶されているメイン制御部のＳＩＤ）を用いて受信したレスポンスコードの適否を判定する第１チャレンジレスポンス認証処理（ＣＵ通信制御部８０では、単体認証応答１として送信したチャレンジコードＡに対してＥＥＰＲＯＭ８１３に記憶しているメイン制御部のＳＩＤを所定のアルゴリズムに従って合成して同様にレスポンスコードＡを生成し、その生成したレスポンスコードＡとメイン制御部３２３から受信したレスポンスコードＡとを比較して一致するか否か判定する）と、
前記第１の制御手段においてチャレンジコード（図２７のチャレンジコードＢ）を生成して前記第２の制御手段に送信し（単体認証要求３）、該第２の制御手段において記憶している識別情報（ＥＥＰＲＯＭ８１３に記憶されているＣＵ通信制御部のＳＩＤ）を用いて受信したチャレンジコードからレスポンスコード（レスポンスコードＢ）を生成して前記第１の制御手段へ返信し（単体認証応答３）、前記第１の制御手段において、記憶している識別情報（ＥＥＰＲＯＭ８０８に記憶されているＣＵ通信制御部のＳＩＤ）を用いて受信したレスポンスコードの適否を判定する第２チャレンジレスポンス認証処理（メイン制御部３２３は、単体認証要求３として送信したチャレンジコードＢとＥＥＰＲＯＭ８０８に記憶しているＣＵ通信制御部のＳＩＤとを所定のアルゴリズムに従って合成して同様にレスポンスコードＢを生成し、その生成したレスポンスコードＢと単体認証応答３として受信したレスポンスコードＢとを比較して一致するか否か判定する）とを含む。
【手続補正書】
【提出日】平成25年10月29日(2013.10.29)
【手続補正１】
【補正対象書類名】特許請求の範囲
【補正対象項目名】全文
【補正方法】変更
【補正の内容】
【特許請求の範囲】
【請求項１】
視野計における刺激視標の呈示条件を設定するための眼科装置であって、
眼底撮像装置によって撮像された眼底画像に基づく解析結果データを取得し、取得された解析結果データに基づいて，刺激視標の呈示領域を設定すると共に該呈示領域内に複数の測定点を設定する呈示条件設定手段と、
を備える眼科装置。
【請求項２】
被検者眼の視野内に刺激視標を呈示する視標呈示手段と、
前記視標呈示手段の動作を制御することにより、前記呈示条件設定手段によって設定された各測定点にて順次刺激視標を呈示し、視野検査を行う制御手段と、
を備えることを特徴とする請求項１記載の眼科装置。
【請求項３】
前記呈示条件設定手段は、取得された解析結果データを処理して眼底の異常部位に関する位置情報を取得し、該位置情報に基づいて刺激視標の呈示領域を設定し、設定された呈示領域内に複数の測定点を設定することを特徴とする請求項２記載の眼科装置。
【請求項４】
前記呈示条件設定手段は、光コヒーレンストモグラフィーデバイスによって撮像された眼底断層画像を処理して眼底の異常部位に関する位置情報を取得することを特徴とする請求項３記載の眼科装置。
【請求項５】
前記呈示条件設定手段は、さらに、眼底の異常部位に関する異常度合を取得し、該異常度合に応じて各測定点の初期基準輝度を段階的に変化させることを特徴とする請求項４記載の眼科装置。
【請求項６】
前記解析結果データは、前記眼底断層像の層厚情報と正常眼データベースとの比較結果であって、
前記呈示条件設定手段は、前記層厚情報に関して正常眼の範囲から外れた部分の位置情報を取得し、該位置情報に基づいて刺激視標の呈示領域を設定することを特徴とする請求項５記載の眼科装置。
【請求項７】
視野計による視野検査結果データと前記解析結果データとが関連付けたデータベースを備え、
前記呈示条件設定手段は、取得された解析結果データに対応する視標呈示条件を前記データベースから取得することを特徴とする請求項６記載の眼科装置。
【請求項８】
視野計における刺激視標の呈示条件を設定するための眼科装置であって、
光コヒーレンストモグラフィーデバイスによって撮像された眼底断層画像に基づく解析結果データに含まれる眼底の異常度合データを取得し、前記異常度合に応じて各測定点の初期基準輝度を段階的に変化させる呈示条件設定手段を備えることを特徴とする眼科装置。
【請求項９】
視野計における刺激視標の呈示条件を設定するための眼科装置であって、
光コヒーレンストモグラフィーデバイスによって撮像された眼底断層画像に基づく解析結果データに含まれる眼底異常情報に基づいて、視野検査パターンを生成する視野検査パターン生成手段と、
前記視野検査パターン生成手段によって生成された前記視野検査パターンに基づいて、被検者眼に刺激視標を呈示する視標呈示手段と、
を備えることを特徴とする眼科装置。
【手続補正２】
【補正対象書類名】明細書
【補正対象項目名】０００７
【補正方法】変更
【補正の内容】
【０００７】
（１）
視野計における刺激視標の呈示条件を設定するための眼科装置であって、
眼底撮像装置によって撮像された眼底画像に基づく解析結果データを取得し、取得された解析結果データに基づいて，刺激視標の呈示領域を設定すると共に該呈示領域内に複数の測定点を設定する呈示条件設定手段と、
を備える。
（２）
視野計における刺激視標の呈示条件を設定するための眼科装置であって、
光コヒーレンストモグラフィーデバイスによって撮像された眼底断層画像に基づく解析結果データに含まれる眼底の異常度合データを取得し、前記異常度合に応じて各測定点の初期基準輝度を段階的に変化させる呈示条件設定手段を備えることを特徴とする。
（３）
視野計における刺激視標の呈示条件を設定するための眼科装置であって、
光コヒーレンストモグラフィーデバイスによって撮像された眼底断層画像に基づく解析結果データに含まれる眼底異常情報に基づいて、視野検査パターンを生成する視野検査パターン生成手段と、
前記視野検査パターン生成手段によって生成された前記視野検査パターンに基づいて、被検者眼に刺激視標を呈示する視標呈示手段と、
を備えることを特徴とする。
【手続補正書】
【提出日】平成25年10月29日(2013.10.29)
【手続補正１】
【補正対象書類名】特許請求の範囲
【補正対象項目名】全文
【補正方法】変更
【補正の内容】
【特許請求の範囲】
【請求項１】
電源側に接続される第１半導体スイッチと接地側に接続される第３半導体スイッチを直列接続してなる第１直列部と，電源側に接続される第２半導体スイッチと接地側に接続される第４半導体スイッチを直列接続してなる第２直列部とが並列接続されてなるＨブリッジ回路と、
前記第１直列部の第１半導体スイッチと第３半導体スイッチとの間の第１接続点に接続される刺激電極と、
前記第２直列部の第２半導体スイッチと第４半導体スイッチとの間の第２接続点に接続される対向電極と、
前記接続点における電位を調節するための電位補償回路と、
を備えることを特徴とする生体組織用刺激回路。
【請求項２】
請求項１の生体組織用刺激回路において、前記電位補償回路はオフとされた前記半導体スイッチの寄生ＰＮ接合が順バイアスにされない電圧範囲内となるように前記第１接続点又は前記第２接続点における電位を調節することを特徴とする生体組織用刺激回路。
【請求項３】
請求項２の生体組織用刺激回路において、前記電位補償回路は前記第１接続点，及び第２接続点の少なくとも一方の電位を検出する検出回路を有することを特徴とする生体組織用刺激回路。
【請求項４】
請求項３の生体組織用刺激回路において、
前記検出回路が前記第１接続点及び第２接続点の両方に接続されている場合には、前記検出回路は、前記第１接続点及び第２接続点の平均電位もしくは前記第１接続点及び第２接続点のうち高い方又は低い方の電位を検出することを特徴とする生体組織用刺激回路。
【手続補正２】
【補正対象書類名】明細書
【補正対象項目名】０００８
【補正方法】変更
【補正の内容】
【０００８】
（１）  電源側に接続される第１半導体スイッチと接地側に接続される第３半導体スイッチを直列接続してなる第１直列部と，電源側に接続される第２半導体スイッチと接地側に接続される第４半導体スイッチを直列接続してなる第２直列部とが並列接続されてなるＨブリッジ回路と、前記第１直列部の第１半導体スイッチと第３半導体スイッチとの間の第１接続点に接続される刺激電極と、前記第２直列部の第２半導体スイッチと第４半導体スイッチとの間の第２接続点に接続される対向電極と、前記接続点における電位を調節するための電位補償回路と、を備えることを特徴とする。
（２）  （１）の生体組織用刺激回路において、前記電位補償回路はオフとされた前記半導体スイッチの寄生ＰＮ接合が順バイアスにされない電圧範囲内となるように前記第１接続点又は前記第２接続点における電位を調節することを特徴とする。
（３）  （２）の生体組織用刺激回路において、前記電位補償回路は前記第１接続点，及び第２接続点の少なくとも一方の電位を検出する検出回路を有することを特徴とする。
（４）  （３）の生体組織用刺激回路において、前記検出回路が前記第１接続点及び第２接続点の両方に接続されている場合には、前記検出回路は、前記第１接続点及び第２接続点の平均電位もしくは前記第１接続点及び第２接続点のうち高い方又は低い方の電位を検出することを特徴とする。
【手続補正書】
【提出日】平成25年8月21日(2013.8.21)
【手続補正１】
【補正対象書類名】特許請求の範囲
【補正対象項目名】全文
【補正方法】変更
【補正の内容】
【特許請求の範囲】
【請求項１】
筐体に無指向性マイクロフォンと指向性マイクロフォンとが配備された録音装置において、指向性マイクロフォンは、筐体の内部へ向けて押し込まれた第１の位置と筐体の表面から突出した第２の位置との間で往復移動が可能であると共に、第１の位置と第２の位置のそれぞれに設定することが可能であり、第２の位置に設定された指向性マイクロフォンの後方にはキャンセル空間が形成され、該キャンセル空間は、指向性マイクロフォンが第１の位置から第２の位置へ移動することによって筐体外部に通じ、
指向性マイクロフォンは、前記筐体に往復移動可能に係合するマイクロフォンホルダーにより保持され、指向性マイクロフォンとマイクロフォンホルダーとによって指向性マイクフォンユニットが構成され、該マイクロフォンホルダーの内部に前記キャンセル空間が形成され、
前記マイクロフォンホルダーの側壁には、前記キャンセル空間を覆うメッシュ部を有する保護カバーが取り付けられており、指向性マイクロフォンが第１の位置から第２の位置へ移動することによって、前記保護カバーのメッシュ部が前記筐体の外側へ露出することになる、録音装置。
【請求項２】
更に、指向性マイクロフォンが第１の位置と第２の位置の間で往復移動することによって切り換えられるスイッチと、該スイッチの状態に応じて指向性マイクロフォンと無指向性マイクロフォンをそれぞれオン／オフする制御回路とを具え、該制御回路は、指向性マイクロフォンが第１の位置に設定された状態では指向性マイクロフォンをオフとする一方、無指向性マイクロフォンをオンとし、指向性マイクロフォンが第２の位置に設定された状態では指向性マイクロフォンをオンとする一方、無指向性マイクロフォンをオフとする請求項１に記載の録音装置。
【請求項３】
指向性マイクロフォンが第１の位置に設定されているか第２の位置に設定されているかに応じて、指向性マイクロフォンと無指向性マイクロフォンの感度が切り換えられる請求項１又は請求項２に記載の録音装置。
【請求項４】
前記制御回路は、指向性マイクロフォンと無指向性マイクフォンに設定すべき感度が規定されている複数の感度テーブルを有し、使用者の操作によって１つの感度テーブルを選択することが可能であって、予め選択された１つの感度テーブルに基づいて、指向性マイクロフォン又は無指向性マイクフォンに所定の感度が設定される請求項１乃至請求項３の何れかに記載の録音装置。
【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
撮像レンズと、
前記撮像レンズの結像面に配置されたレンズアレイと、
互いに異なる第１および第２の方向に沿って２次元配置された複数の画素を有する撮像素子とを備え、
前記レンズアレイは、それぞれが前記撮像素子におけるｍ×ｎ（ｍ，ｎは互いに異なる１以上の整数）の画素領域に割り当てられて設けられたレンズ部を複数含む
撮像装置。
【請求項２】
前記レンズアレイは、
光入射側の面において前記第１の方向に沿って延在すると共に、前記第２の方向に沿って画素幅のｎ倍の幅を有する複数の第１の突条レンズと、
光出射側の面において前記第２の方向に沿って延在すると共に、前記第１の方向に沿って画素幅のｍ倍の幅を有する複数の第２の突条レンズとを有し、
前記複数のレンズ部はそれぞれ、前記第１および第２の突条レンズの交差部に対応する領域に形成されている
請求項１に記載の撮像装置。
【請求項３】
前記レンズアレイにおいて、前記第１および第２の突条レンズの各焦点面が、前記撮像素子の受光面上に一致するように配置されている
請求項２に記載の撮像装置。
【請求項４】
前記第１の突条レンズの焦点距離をｆ１、前記第２の突条レンズの焦点距離をｆ２としたとき、前記レンズアレイの厚みおよび位置は、以下の式（１）を満足するように設定されている
請求項３に記載の撮像装置。
ｆ１＝（ｎ／ｍ）×ｆ２  ………（１）
【請求項５】
前記複数のレンズ部はそれぞれトロイダルレンズである
請求項１に記載の撮像装置。
【請求項６】
前記レンズアレイは、前記撮像素子と一体的に設けられている
請求項１ないし請求項５のいずれか１項に記載の撮像装置。
【請求項７】
前記撮像素子の受光面に、複数の画素のうち隣り合う画素同士の間で互いに異なる色が配列してなるカラーフィルタが配置されている
請求項１ないし請求項５のいずれか１項に記載の撮像装置。
【手続補正２】
【補正対象書類名】明細書
【補正対象項目名】０００９
【補正方法】変更
【補正の内容】
【０００９】
本発明の撮像装置は、撮像レンズと、撮像レンズの結像面に配置されたレンズアレイと、互いに異なる第１および第２の方向に沿って２次元配置された複数の画素を有する撮像素子とを備えたものである。レンズアレイは、それぞれが撮像素子におけるｍ×ｎ（ｍ，ｎは互いに異なる１以上の整数）の画素領域に割り当てられて設けられたレンズ部を複数含んでいる。
【手続補正３】
【補正対象書類名】明細書
【補正対象項目名】００３５
【補正方法】変更
【補正の内容】
【００３５】
以上のように、本実施の形態では、撮像レンズ１１とイメージセンサ１３との間にレンズアレイ１２を配置したので、被写体２からの光線を、視点方向毎に分割しつつ受光することができる。ここで、レンズアレイ１２では、各レンズ部１２Ｌがｍ×ｎの画素領域に割り当てられている（突条レンズ１２Ａがｎ画素分、突条レンズ１２Ｂがｍ画素分の幅をそれぞれ有する）。これにより、レンズアレイ１２の通過光線は、イメージセンサ１３のｍ×ｎの画素領域において受光される。即ち、本実施の形態では、ディスプレイ等で必要とされる視点数が、例えば縦１視点、横３視点等、縦横で異なる場合であっても、過不足なく視点画像を取得することができ、不要な視点画像による解像度の低下を防ぐことができる。よって、解像度の低下を抑制しつつ所望の視点画像を取得可能となる。
【手続補正４】
【補正対象書類名】明細書
【補正対象項目名】００４２
【補正方法】変更
【補正の内容】
【００４２】
＜変形例３＞
図１５（Ａ），（Ｂ）は、変形例３に係るカラーフィルタにおける色配列の一例を模式的に表すものである。上記実施の形態では、１×３の画素領域に対応するカラーフィルタの例を挙げたが、ここでは、１×２の画素領域に対応するカラーフィルタの一例を挙げる。即ち、縦１視点、横２視点の視点画像を取得する場合のベイヤー配列は、例えば図１５（Ｂ）に示したような、１×２の画素領域毎に、Ｒ，Ｇ，Ｂのいずれかを配置する（画素領域内は全て同一色）か、あるいは、図１５（Ａ）に示したように、同一色が隣り合わないように各色を配置してもよい。どちらの場合であっても、視点毎に画像合成した後には、ベイヤー配列となるが、図１５（Ａ）のように同一色の画素が隣り合わない配列とすれば、異なる視点方向からの光線同士のクロストークを抑制することができる。
【手続補正書】
【提出日】平成25年10月31日(2013.10.31)
【手続補正１】
【補正対象書類名】明細書
【補正対象項目名】０００６
【補正方法】変更
【補正の内容】
【０００６】
遊技領域の背景を、例えば、春夏秋冬、クリスマスやお正月等、時期に応じて可変自在に刷新することが可能であれば、遊技盤面の雰囲気を常に新鮮に維持できるところとなり、遊技機を長い期間稼働させることができる。
【手続補正２】
【補正対象書類名】明細書
【補正対象項目名】０００７
【補正方法】変更
【補正の内容】
【０００７】
本発明は、これに鑑みてなされたもので、その目的は、遊技盤の遊技領域の背面の装飾を可変自在に刷新する装飾体を備えたパチンコ遊技機を提供することにある。
【手続補正３】
【補正対象書類名】明細書
【補正対象項目名】００１２
【補正方法】変更
【補正の内容】
【００１２】
請求項１に係るパチンコ遊技機によれば、遊技者から視認可能である透明な遊技パネルの裏面において、予め定めた時期的条件になると、複数種類の背景装飾のうちから別の異なる背景装飾に切換ることで、遊技パネルの背景を刷新することができる。
【手続補正４】
【補正対象書類名】特許請求の範囲
【補正対象項目名】全文
【補正方法】変更
【補正の内容】
【特許請求の範囲】
【請求項１】
遊技パネルと、装飾体とを有する遊技盤を備えたパチンコ遊技機において、
前記遊技パネルは、遊技者側となる前面側から見て裏面側が視認可能となる透明部材で構成され、
前記装飾体は、
前記遊技パネルの後方において、前記遊技パネルを通して視認可能に配置され、かつ複数種類の背景装飾を切換可能とされた可変装飾体で構成され、
制御部が、
時刻を計時する時刻計時手段と、
前記時刻計時手段の時刻情報が予め定めた時期的条件になると、
前記複数種類の背景装飾のうちから別の１つの背景装飾に切換える背景切換手段とを備えた、
ことを特徴とするパチンコ遊技機。
【手続補正書】
【提出日】平成25年10月22日(2013.10.22)
【手続補正１】
【補正対象書類名】特許請求の範囲
【補正対象項目名】全文
【補正方法】変更
【補正の内容】
【特許請求の範囲】
【請求項１】
第１の流体室と、前記第１の流体室内の流体に脈流を付与する脈流発生部と、
前記第１の流体室に連通し、噴射開口部を有する噴射流路と、
前記噴射流路の容積の変化量を調整する調整手段と、を備え、
前記調整手段は、前記脈流発生部と前記噴射開口部との間に配設されていることを特徴とする流体噴射装置。
【請求項２】
前記調整手段は、前記第１の流体室からの脈流に追動して前記噴射流路の延在方向に進退する前記噴射開口部の移動量を調整することにより、前記噴射流路の容積の変化量を調整することを特徴とする、請求項１に記載の流体噴射装置。
【請求項３】
前記噴射流路は、
前記第１の流体室に連通する第１の噴射管と、
一方の端部が前記第１の噴射管に内挿され連通し、前記第１の噴射管の延在方向に摺動し、他方の端部に噴射開口部を有する第２の噴射管と、から成り、
前記調整手段は、
前記第１の噴射管に支持され、前記第１の噴射管の側壁を貫通する第１の凹凸部を有した弾性体と、
前記第２の噴射管の側面に形成された前記第１の凹凸部に噛み合う第２の凹凸部と、を有し、
前記弾性体を押圧して、前記第１の凹凸部と前記第２の凹凸部との隙間を増減させることにより、前記第２の噴射管の摺動方向に進退する前記第２の噴射管の移動量を調整することを特徴とする、請求項２に記載の流体噴射装置。
【請求項４】
前記噴射流路は、
前記第１の流体室に連通する噴射管と、
前記噴射管に連通し、前記噴射管の延在方向と交差する方向に突出する第２の流体室と、を有し、
前記調整手段は、前記第１の流体室からの脈流に追動して変化する前記第２の流体室の容積の変化量を調整することにより、前記噴射流路の容積の変化量を調整することを特徴とする、請求項１に記載の流体噴射装置。
【請求項５】
前記噴射流路は、
前記噴射管に連通し、前記噴射管の延在方向と交差する方向に突出するシリンダーと、
前記シリンダーに前記噴射管に近いほうから順に内設され摺動する第１のピストンと、
第２のピストンと、
前記第１および第２のピストンに挟持される弾性体と、
前記第２のピストンを、前記噴射管の方向に押圧する押圧手段と、を備え、
前記調整手段は、
前記押圧手段を押圧して、前記シリンダーと前記第１のピストンによって形成される前記第２の流体室の容積の変化量を調整することを特徴とする、請求項４に記載の流体噴射装置。
【請求項６】
前記噴射流路は、一方の端が前記第１の流体室に連通し、他方の端に噴射開口部を有する管状体から成り、
前記調整手段は、前記第１の流体室からの脈流に追動して変化する前記管状体の内径の変化量を調整することにより、前記噴射流路の容積の変化量を調整することを特徴とする、請求項１に記載の流体噴射装置。
【請求項７】
前記管状体は、その側面の少なくとも一部に、他よりも厚さの薄い肉薄部を有し、
前記調整手段は、前記第１の流体室からの脈流に追動して変形する前記肉薄部の変形量を調整することにより、前記噴射流路の容積の変化量を調整することを特徴とする、請求項６に記載の流体噴射装置。
【請求項８】
前記噴射流路は、前記管状体を内挿し摺接する外套管を備え、
前記調整手段は、前記外套管が前記管状体の延在方向に摺動し前記肉薄部を覆うことで前記肉薄部の変形量を調整することにより、前記噴射流路の容積の変化量を調整することを特徴とする、請求項７に記載の流体噴射装置。
【請求項９】
第１の流体室と、前記第１の流体室内の流体に脈流を付与する脈流発生部と、
前記第１の流体室に連通し、噴射開口部を有する噴射流路と、
前記第１の流体室に連通する第３の流体室と、
前記第１の流体室からの脈流に追動する前記第３の流体室の容積の変化量を調整する調整手段と、を備えることを特徴とする流体噴射装置。
【請求項１０】
請求項１乃至請求項９のいずれか一項に記載の流体噴射装置を用いたことを特徴とする医療機器。
【手続補正書】
【提出日】平成25年11月7日(2013.11.7)
【手続補正１】
【補正対象書類名】特許請求の範囲
【補正対象項目名】全文
【補正方法】変更
【補正の内容】
【特許請求の範囲】
【請求項１】
放射線源から発生される放射線を検出する複数の検出素子を有する検出素子アレイと、前記検出素子アレイを保持する検出素子保持基板と、を備えた放射線検出器であって、
前記検出素子アレイの検出面と平行な面を、放射線発生点からの距離に基づいて定められる基準面に一致させるように前記検出素子アレイと前記検出素子保持基板とを保持する保持基材をさらに備えたことを特徴とする放射線検出器。
【請求項２】
請求項１に記載の放射線検出器において、
前記基準面は前記放射線発生点を中心とする円弧の接線で形成される多角形面であり、
前記保持基材の上面が前記基準面に一致させられたことを特徴とする放射線検出器。
【請求項３】
請求項２に記載の放射線検出器において、
前記検出器素子アレイは、前記放射線を受光することにより発光するシンチレータ素子を複数備えたシンチレータ素子アレイと、前記シンチレータ素子の発光を検出する光検出素子を複数備えた光検出素子アレイと、を組み合わせたものであり、
前記シンチレータ素子アレイの上面と前記保持基材の上面とが一致させられたことを特徴とする放射線検出器。
【請求項４】
請求項２に記載の放射線検出器において、
前記検出器素子アレイは、前記放射線を受光することにより発光するシンチレータ素子を複数備えたシンチレータ素子アレイと、前記シンチレータ素子の発光を検出する光検出素子を複数備えた光検出素子アレイと、を組み合わせたものであり、
前記光検出素子アレイの上面と前記保持基材の上面とが一致させられたことを特徴とする放射線検出器。
【請求項５】
前記放射線源と、前記放射線源に対向配置され被検体を透過した放射線を検出する請求項１乃至４のいずれか一項に記載の放射線検出器と、前記放射線源と前記放射線検出器を搭載し前記被検体の周囲を回転する回転円盤と、前記放射線検出器により検出された複数角度からの透過放射線量に基づき前記被検体の断層画像を再構成する画像再構成装置と、前記画像再構成装置により再構成された断層画像を表示する画像表示装置と、を備えたことを特徴とするＸ線ＣＴ装置。
【手続補正２】
【補正対象書類名】明細書
【補正対象項目名】０００９
【補正方法】変更
【補正の内容】
【０００９】
具体的には、本発明は、放射線源から発生される放射線を検出する複数の検出素子を有する検出素子アレイと、前記検出素子アレイを保持する検出素子保持基板と、を備えた放射線検出器であって、前記検出素子アレイの検出面と平行な面を、放射線発生点からの距離に基づいて定められる基準面に一致させるように前記検出素子アレイと前記検出素子保持基板とを保持する保持基材をさらに備えたことを特徴とする。
【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
内視鏡挿入部の先端から所望の光量の照明光を出射する内視鏡装置であって、
前記照明光を生成する複数の半導体光源と、
入力された目標光量に応じてパルス密度の変調された駆動パルスにより、前記半導体光源をパルス点灯駆動する光源制御手段と、
を備え、
前記光源制御手段は、
少なくとも前記目標光量が、前記駆動パルスの隣接するパルス間隔がフリッカ発生光量となる場合に、前記複数の半導体光源をそれぞれ同じ駆動パルスでパルス点灯制御する第１の制御から、
１つの半導体光源だけを点灯し、該１つの半導体光源を、前記駆動パルスの点灯周波数より増加させた点灯周波数でパルス点灯制御する第２の制御に切り替える内視鏡装置。
【請求項２】
請求項１記載の内視鏡装置であって、
フリッカ発生光量となる場合の前記駆動パルスの隣接するパルス間隔が１６．６ｍｓ以上である内視鏡装置。
【請求項３】
請求項１又は請求項２記載の内視鏡装置であって、
前記光源制御手段が、前記第１の制御と前記第２の制御とを切り替える際、
前記第１の制御による前記複数の半導体光源の駆動パルスのパルス密度の合計と、前記第２の制御による前記駆動パルスのパルス密度とが互いに等しくされた内視鏡装置。
【請求項４】
請求項１〜請求項３のいずれか１項記載の内視鏡装置であって、
前記光源制御手段が、前記第１の制御と前記第２の制御とを切り替える光量を、前記フリッカ発生光量より所定量大きい光量に設定する内視鏡装置。
【請求項５】
請求項１〜請求項４のいずれか１項記載の内視鏡装置であって、
前記光源制御手段が、前記目標光量に応じた駆動パルスを、前記目標光量の大きい順に、第１のパルス変調制御、第２のパルス変調制御を用いて生成するものであり、
前記第１のパルス変調制御が、前記目標光量の減少に応じて、所定間隔で前記駆動パルスを間引くことで点灯期間内のパルス密度を減少させる制御であり、
前記第２のパルス変調制御が、前記第１のパルス変調制御において最小パルス数とされた各駆動パルスに対し、前記目標光量の減少に応じて、パルス幅を減少させる制御である内視鏡装置。
【請求項６】
請求項５記載の内視鏡装置であって、
任意の目標光量に対する前記半導体光源の駆動パルスをパルス密度の変調に基づいて定めた制御パラメータ情報を記憶する記憶手段を備え、
前記光源制御手段が、入力された目標光量に応じた駆動パルスを、前記制御パラメータ情報を参照して求め、該求めた駆動パルスにより前記半導体光源をパルス点灯駆動する内視鏡装置。
【請求項７】
請求項１〜請求項６のいずれか１項記載の内視鏡装置であって、
前記半導体光源が、レーザ光源と、該レーザ光源からの出射光により発光する蛍光体とを備え、前記レーザ光源からの出射光と前記蛍光体からの発光光を混合して所望の照明光を生成する内視鏡装置。
【請求項８】
請求項１〜請求項６のいずれか１項記載の内視鏡装置であって、
前記半導体光源が、発光ダイオードからなる内視鏡装置。
【請求項９】
請求項８記載の内視鏡装置であって、
複数の前記発光ダイオードが、内視鏡挿入部の先端に配置された内視鏡装置。
【手続補正書】
【提出日】平成25年10月29日(2013.10.29)
【手続補正１】
【補正対象書類名】特許請求の範囲
【補正対象項目名】全文
【補正方法】変更
【補正の内容】
【特許請求の範囲】
【請求項１】
検査対象を撮像する撮像素子を先端部に備えた挿入部と、
前記挿入部の挿入軸に対する回転角を検出するための情報を検出する回転角検出部と、
前記挿入部の検査対象に対する挿入長を計測する挿入長計測部と、
前記検査対象に進路変更があった際に、前記挿入部の挿入方向の入力を指示する挿入方向指示部と、
前記撮像素子で撮像された撮像信号から生成された前記検査対象の内視鏡画像のフレーム毎に、前記回転角検出部で検出された前記回転角を検出するための情報と、前記挿入長計測部で計測された前記挿入長の情報と、前記挿入方向指示部で指示された前記挿入方向の情報とを関連付けた動画ファイルを生成し、画像記録部に記録する画像記録処理部と、を有することを特徴とする内視鏡装置。
【請求項２】
前記画像記録処理部は、前記回転角を検出するための情報と、前記挿入長の情報と、前記挿入方向の情報とを前記動画ファイルに設けられた情報格納領域に格納することを特徴とする請求項１に記載の内視鏡装置。
【請求項３】
前記検査対象の内視鏡画像のフレーム毎に、静止画像の抽出を行うためのマークを付加するためのマーキングスイッチを有し、
前記画像記録処理部は、前記マーキングスイッチが押下されると、対応するフレームに前記静止画像の抽出を行うためのマークを関連付けることを特徴とする請求項１又は２に記載の内視鏡装置。
【請求項４】
前記挿入部の先端部に交換可能な光学アダプタを有し、
前記画像記録処理部は、前記光学アダプタの種類に応じて前記回転角を検出するための情報を補正することを特徴とする請求項1から３のいずれか１項に記載の内視鏡装置。
【請求項５】
前記回転角検出部は、前記挿入部の回動量から回転角を検出することを特徴とする請求項1から４のいずれか１項に記載の内視鏡装置。
【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
電子シャッタ機能を有する撮像素子が搭載され、被検体の撮像信号を出力する内視鏡スコープと、該内視鏡スコープが接続される制御装置とを有する内視鏡装置であって、
前記内視鏡スコープが、前記電子シャッタのシャッタ速度を制御する撮像制御手段を備え、
前記制御装置が、
半導体光源と、
該半導体光源をパルス点灯駆動して出射光量を制御する光源制御手段と、
前記撮像素子から出力される撮像信号に基づいて被検体像の光量を検出する光量検出手段と、
前記光量検出手段により検出された被検体像の光量に対応する前記シャッタ速度の目標値と前記出射光量の目標値とをそれぞれ求め、前記シャッタ速度目標値に制御するためのシャッタ速度制御信号を前記撮像制御手段に、前記出射光量目標値に制御するための光源制御信号を前記光源制御手段にそれぞれ出力して、前記撮像素子の露光量を制御する露光制御手段と、
を備え、
前記露光制御手段が、前記被検体像の光量に応じて、前記撮像制御手段によるシャッタ速度制御で前記露光量を制御するシャッタ速度制御と、前記光源制御手段による光源制御で前記露光量を制御する出射光量制御とのいずれかに切り替えて前記露光量を制御する内視鏡装置。
【請求項２】
請求項１記載の内視鏡装置であって、
前記シャッタ速度目標値と前記出射光量目標値との関係を、前記被検体像の光量に対応して規定した制御テーブルを格納する記憶手段を備え、
前記露光制御手段が、前記制御テーブルを参照して、前記シャッタ速度制御のシャッタ速度制御信号と前記光源制御信号を生成する内視鏡装置。
【請求項３】
請求項１又は請求項２記載の内視鏡装置であって、
前記露光制御手段が、前記シャッタ速度制御信号を前記撮像制御手段にシリアル伝送し、前記光源制御信号を前記光源制御手段にパラレル伝送する内視鏡装置。
【請求項４】
請求項１〜請求項３のいずれか１項記載の内視鏡装置であって、
前記露光制御手段が、前記撮像素子の目標露光量の少なくとも最大側で前記出射光量制御を実施する内視鏡装置。
【請求項５】
請求項１〜請求項４のいずれか１項記載の内視鏡装置であって、
前記露光制御手段が、前記撮像素子の目標露光量の少なくとも最小側で前記出射光量制御を実施する内視鏡装置。
【請求項６】
請求項１〜請求項５のいずれか１項記載の内視鏡装置であって、
前記撮像素子の電子シャッタが、ローリングシャッタ方式である内視鏡装置。
【請求項７】
請求項１〜請求項６のいずれか１項記載の内視鏡装置であって、
前記光源制御手段による前記出射光量制御が、前記被検体像の光量に応じた光源制御信号を、前記被検体像の光量の最大側から順に、第１のパルス変調、第２のパルス変調、第３のパルス変調の制御を用いて出力するものであり、
前記第１のパルス変調が、前記電子シャッタによる１フレーム内の露光期間に対し、前記光量の減少に応じて所定の点灯期間になるまで前記駆動パルスのパルス数を減少させて前記光源の点灯期間を短縮する制御であり、
前記第２のパルス変調が、前記第１のパルス変調における所定の点灯期間に対し、前記光量の減少に応じて所定間隔で前記駆動パルスを間引くことで前記点灯期間内のパルス密度を減少させる制御であり、
前記第３のパルス変調が、前記第２のパルス変調において最小パルス数とされた各駆動パルスに対し、前記光量の減少に応じてパルス幅を減少させる制御である内視鏡装置。
【請求項８】
請求項７記載の内視鏡装置であって、
前記光源制御手段が、前記第３のパルス変調時の光量より更に前記被検体像の光量が小さい場合に、前記第３のパルス変調で最小パルス幅とされた各駆動パルスに対し、パルス振幅を減少させる第４のパルス変調を行って前記光源制御信号を出力する内視鏡装置。
【請求項９】
請求項１〜請求項８のいずれか１項記載の内視鏡装置であって、
前記半導体光源が、同じスペクトルの光を出射する複数の発光素子を有し、
前記光源制御手段が、前記複数の発光素子を個別にパルス点灯制御する内視鏡装置。
【請求項１０】
請求項１〜請求項８のいずれか１項記載の内視鏡装置であって、
前記半導体光源が、互いに異なるスペクトルの光を出射する複数の発光素子を有し、
前記光源制御手段が、前記複数の発光素子をそれぞれ個別にパルス点灯制御する内視鏡
装置。
【請求項１１】
請求項１０記載の内視鏡装置であって、
前記半導体光源が、白色光を生成するための白色光用光源と、所定の波長域からなる狭帯域光を生成する狭帯域光用光源と有し、
前記光源制御手段が、前記白色光用光源と前記狭帯域光用光源との出射光量比を変更する内視鏡装置。
【請求項１２】
請求項１１記載の内視鏡装置であって、
前記狭帯域光用光源が、中心波長３６０〜５３０ｎｍの狭帯域光を出射する内視鏡装置。
【請求項１３】
請求項１１又は請求項１２記載の内視鏡装置であって、
前記白色光用光源が、レーザ光源と、該レーザ光源からの出射光により発光する蛍光体とを備え、前記レーザ光源からの出射光と前記蛍光体からの発光光を混合して所望のスペクトルの照明光を生成する内視鏡装置。
【手続補正書】
【提出日】平成25年5月1日(2013.5.1)
【手続補正１】
【補正対象書類名】特許請求の範囲
【補正対象項目名】全文
【補正方法】変更
【補正の内容】
【特許請求の範囲】
【請求項１】
養液を貯留する栽培槽と、
該栽培槽内に略鉛直方向に形成され、上端開口部に植物体を設置する一又は複数の筒状部と、
前記栽培槽内の養液の水位を変動させる水位変動手段と、を備えた根物作物の養液栽培システム。
【請求項２】
前記栽培槽に定植構造体が設置され、
前記筒状部が、前記定植構造体に設けられた貫通部に筒状体を挿嵌することにより、若しくは前記定植構造体に略鉛直方向の貫通孔を設けることにより形成された請求項１記載の養液栽培システム。
【請求項３】
前記定植構造体が前記養液に対して浮遊する軽量部材で形成され、
該定植構造体を下方に移動させることにより、養液の水位を変動させる前記水位変動手段を備えた請求項２記載の養液栽培システム。
【請求項４】
前記定植構造体を下方に移動させる手段として、下記（１）又は（２）のいずれかの構成を備えた請求項３記載の養液栽培システム。
（１）線状部材を前記定植構造体に張架し、該線状部材の両端を前記栽培槽の略対面する位置に固定するとともに、前記線状部材の少なくとも一端に巻き取り手段を設置し、前記線状部材を巻き取ることにより前記定植構造体を下方に移動させる構成。
（２）略水平方向に形成された押し下げ部材と、該押し下げ部材を上下へ移動させる昇降手段とを備え、前記昇降手段で前記押し下げ部材を下方へ移動させることにより、前記押し下げ部材が前記定植構造体を押し下げる構成。
【請求項５】
前記筒状部の上端開口部に延設する内面略筒状の延長部材を設置することにより、若しくは前記筒状体を長いものと交換することにより、前記筒状部の長さを延長できる構成を備えた請求項２〜４のいずれか一項記載の養液栽培システム。
【請求項６】
前記栽培槽内に、所定の容積を有する充填部材を設置した請求項１〜５のいずれか一項記載の養液栽培システム。
【請求項７】
養液を貯留する栽培槽内に一又は複数の筒状部を略鉛直方向に形成し、
根部が該筒状部内を伸長するように前記筒状部の上端開口部に植物体を設置し、
前記栽培槽内の養液の水位を変動させ、間欠的に根部に乾燥ストレスを与える根物作物の養液栽培方法。
【請求項８】
前記栽培槽に定植構造体を設置し、
前記筒状部を、前記定植構造体に設けられた貫通部に筒状体を挿嵌することにより、若しくは前記定植構造体に略鉛直方向の貫通孔を設けることにより形成する請求項７記載の養液栽培方法。
【請求項９】
前記定植構造体を、前記養液に対して浮遊する軽量部材で形成し、
該定植構造体を下方に移動させることにより、養液の水位を変動させる請求項８記載の養液栽培方法。
【請求項１０】
下記（１）又は（２）のいずれかの手段により、前記定植構造体を下方に移動させる請求項９記載の養液栽培方法。
（１）線状部材を前記定植構造体に張架し、該線状部材の両端を前記栽培槽の略対面する位置に固定するとともに、前記線状部材の少なくとも一端に巻き取り手段を設置し、前記線状部材を巻き取る。
（２）略水平方向に形成された押し下げ部材と、該押し下げ部材を上下へ移動させる昇降手段とを備え、前記昇降手段で前記押し下げ部材を下方へ移動させることにより、前記押し下げ部材が前記定植構造体を押し下げる。
【請求項１１】
前記筒状部の長さを延長して養液栽培を行う工程を含む請求項７〜１０のいずれか一項記載の養液栽培方法。
【手続補正書】
【提出日】平成25年11月7日(2013.11.7)
【手続補正１】
【補正対象書類名】明細書
【補正対象項目名】００１４
【補正方法】変更
【補正の内容】
【００１４】
本発明のつゆ、たれ類は、その出来上がりの粘度が数百ｍPa・s以下、好ましくは１００ｍPa・s以下、更に好ましくは１０ｍPa・s以下であり、より好ましくは８ｍPa・s以下である。出来上がりのつゆ、たれ類の粘度がこの範囲になるように分岐デキストリンの添加量を1〜２０質量％、好ましくは３〜２０質量％、より好ましくは３〜１５質量％、最も好ましくは３〜１２質量％で調節する。分岐デキストリンの添加量が１質量％未満では付着性向上効果に乏しく、２０質量％を超えると食感に悪影響を及ぼす。
従来、その粘度が数百ｍPa・s、あるいは若干粘度付けされたつゆ、たれ類にはキサンタンガム、グアガム等の天然ガムが使用されていたが、本発明のつゆ、たれ類はそれらに比べてズルつき感が減じて違和感がなくなり、付着性も向上する効果が得られ、概ね１００ｍPa・s以下の粘度のつゆ、たれ類で本発明の効果がより顕著に見られる。
【手続補正書】
【提出日】平成25年11月5日(2013.11.5)
【手続補正１】
【補正対象書類名】特許請求の範囲
【補正対象項目名】全文
【補正方法】変更
【補正の内容】
【特許請求の範囲】
【請求項１】
Ｘ線撮影装置を用いて被検体の胸部にＸ線を照射し、撮影した胸部Ｘ線画像を表示する画像表示部を備えたＸ線画像表示装置において、
前記画像表示部に表示された前記胸部Ｘ線画像を上中下部の縦方向に３分割する分割画像処理部と、前記分割画像処理部によって３分割された３分割胸部Ｘ線画像のうち、操作者が所望する領域を選択する領域選択部と、前記領域選択部によって選択した胸部Ｘ線画像選択領域を前記画像表示部に表示する領域選択画像処理部と、前記画像表示部に表示された胸部Ｘ線画像選択領域に対し、操作者により拡大表示の実施を指示する拡大表示指示部と、前記拡大表示指示部によって指示された前記胸部Ｘ線画像選択領域を拡大し、該拡大した胸部Ｘ線画像拡大領域を前記画像表示部に表示する拡大表示画像処理部と、を備えることを特徴とするＸ線画像表示装置。
【請求項２】
前記３分割した３分割胸部Ｘ線画像のそれぞれ隣接する領域にて重複部を有することを特徴とする請求項１に記載のＸ線画像表示装置。
【請求項３】
前記胸部Ｘ線画像選択領域の輝度に対し、前記領域選択部によって選択されていない胸部Ｘ線画像非選択領域の輝度を低減することを特徴とする請求項１記載のＸ線画像表示装置。
【請求項４】
前記胸部Ｘ線画像拡大領域の輝度に対し、前記領域選択部によって選択されていない胸部Ｘ線画像非選択領域の輝度を低減することを特徴とする請求項１記載のＸ線画像表示装置。
【請求項５】
前記拡大表示指示部による拡大指示は、回転部を備えた前記画像表示部の回転動作により実施されることを特徴とする請求項１に記載のＸ線画像表示装置。
【請求項６】
一方は縦長の表示エリアを有し、他方の横長の表示エリアを有する２つの前記画像表示部において、前記縦長の表示エリアを有する画像表示部に前記３分割胸部Ｘ線画像を表示し、前記横長の表示エリアを有する画像表示部に前記胸部Ｘ線画像拡大領域を表示することを特徴とする請求項１乃至４の何れか一項に記載のＸ線画像表示装置。
【手続補正書】
【提出日】平成25年11月1日(2013.11.1)
【手続補正１】
【補正対象書類名】明細書
【補正対象項目名】００５８
【補正方法】変更
【補正の内容】
【００５８】
第２の方法では、上述のような逆問題法において、正則化に数９のような単純正則化を用いた。これによって得られた４６５４点の吸収係数変化の推定値のうち、深部に対応する４６３６点の値をマッピング表示した。なお、ここでは得られた推定値から滑らかな画像を得るための補間や移動平均などの処理は行っていない。また、ティホノフ正則化パラメターλの値は１０−６とした。なお、この方法によれば、１８点の表層妨害信号の推定値も同時に得られる。これをこのまま各オプトードの位置に表示できるが、ここでは前述のＳＢＰ法と同様の２次元補間によって表層部におけるトポグラフィ画像を作成した。なお、以下の説明において、単純正則化を用いた逆問題法をＳＲＩ法と呼ぶ。なお、ＳＲＩ法によって画像化されるのは、検出光の強度の相対変化ではなく、吸収係数の相対変化である。
【手続補正２】
【補正対象書類名】明細書
【補正対象項目名】００５９
【補正方法】変更
【補正の内容】
【００５９】
第３の方法では、上述のような逆問題法において、正則化に数１０のような深さ感度可変感度適応型正則化を用いた。ＳＲＩ法と同様にして、深部に対応する４６３６点の値をマッピングしてトポグラフィ画像を形成するとともに、１８点の表層妨害信号の推定値をもとにして２次元補間によって表層部におけるトポグラフィ画像を作成した。なお、以下の説明において、深さ感度可変感度適応型正則化を用いた逆問題法をＳＡＲＩ法と呼ぶ。また、正則化のパラメター値は、λ＝１０−６，γ＝０．５に設定した。ここで、上述のＳＲＩ法は、ＳＡＲＩ法における深さ感度パラメータγを、定数（γ＝０）に固定した特別な場合に相当する。なお、ＳＡＲＩ法によって画像化されるのは、ＳＲＩ法と同様に、吸収係数の相対変化である。
【手続補正書】
【提出日】平成25年10月31日(2013.10.31)
【手続補正１】
【補正対象書類名】特許請求の範囲
【補正対象項目名】全文
【補正方法】変更
【補正の内容】
【特許請求の範囲】
【請求項１】
弾発された打球が通過可能とされた遊技領域が前面に設定された遊技パネルと、
前記遊技領域の背面を装飾するセル部と、を有する遊技盤を備えたパチンコ遊技機において、
前記遊技パネルは、遊技者側となる前面側から見て裏面側が視認可能な透明部材で構成され、
前記セル部は、
前記遊技領域の後方において該遊技領域を通して視認可能に配置されると共に、側面を導光入射面とされ、かつ前面を導光出射面とされた透光性を有する導光板が前後方向に複数枚層状に重ね合わされてなる積層導光体と、
前記積層導光体の各導光板に対応して設けられると共に、前記各導光板へ光を入射するための各光源と、を備え、
前記遊技盤は、前記各光源を点灯させるための各ドライバと、
前記各ドライバを通じて前記各光源を切換点灯制御する制御部とを有し、
前記各導光板は、光の散乱によって表出する各背景絵柄が記録され、
前記各背景絵柄は、
共通のキャラクタを表現するものであって、
最も後方に位置した導光板から最も前方に位置する導光板に向って、記録されている各絵柄の形状が漸次拡大するような絵柄とされ、
前記制御部は、
前記最も後方に位置した導光板に対応する光源から前記最も前方に位置する導光板に対応する光源までを順次点灯し、または、前記最も前方に位置した導光板に対応する光源から前記最も後方に位置する導光板に対応する光源までを順次点灯し、各導光板の各背景絵柄が順次表出されることにより、前記遊技領域の背景絵柄を立体的に表示する背景立体表示手段を備えた、
ことを特徴とするパチンコ遊技機。